(57)【要約】      （修正有）【課題】つま先から踵までの快適性および安定性を与えると共に、つま先の蹴り出し中、すなわち、歩行の推進部分で側方安定性を与える履物の提供。【解決手段】安定性を与えるシェル３０を備える履物製品。シェル３０は、踵カップ３２と、踵カップ３２の前方で足前部の周縁の周りに延出して踵カップに戻る壁３４とを有することができる。シェル３０は、足前部領域内に孔を形成することもできる。ミッドソールの形のクッションを、その一部分がシェル孔に少なくとも部分的に挿通されるようにして、シェル内に固定することができる。アッパー２０をシェル３０に固定することができ、少なくとも足前部領域内で縫い目がアッパーおよびシェル壁を通り、縫い目の後方では、アッパー２０をセメントおよび／または接着剤でシェル３０および／またはミッドソールに固定することができる。【選択図】図１
2005342519.tif 000002
【特許請求の範囲】
【請求項１】
足前部領域および踵領域を含む履物構造において、
周縁ゆとり部を有するアッパーと、
踵カップ、足前部部分および周縁部を有する一体型で堅固なシェルであって、前記踵カップは前記足前部部分に向かって延出するベースプレートを有し、前記足前部部分は前記ベースプレートに対して概ね上向きに延出しかつ少なくとも前記足前部部分内で前記周縁部の周りに延在する壁を有し、前記壁および前記踵カップは協働して上向きに開口した凹部を形成し、前記踵部分の手前で終わる孔を前記足前部部分内に有するシェルと、
該シェルの前記上向きに開口した凹部内に配置されると共に少なくとも部分的に前記孔に挿入されるクッション材と、
前記シェルに固定されたアウトソールと
を備え、
前記周縁ゆとり分は前記足前部領域内において縫い目で前記シェルに結合され、該縫い目は前記踵領域の手前で終了し、
前記アッパーは前記踵領域内で前記シェルおよび前記クッション材の少なくとも一方に付着されることを特徴とする履物構造。
【請求項２】
前記アウトソールは、
前記踵領域内に位置する第１アウトソール構成部分と、
少なくとも前記足前部領域内にありかつ前記第１アウトソール構成部分から一定距離だけ離れた第２アウトソール構成部分と
を有する請求項１に記載の履物構造。
【請求項３】
前記シェルは少なくとも１つの凹部を有し、前記アウトソールは該凹部内で前記シェルに固定される請求項１に記載の履物構造。
【請求項４】
前記アウトソールは、複数の開口を有する請求項１に記載の履物構造。
【請求項５】
前記クッション材は、前記孔に挿通されると共に前記アウトソールに形成された前記開口に少なくとも部分的に挿入される請求項１に記載の履物構造。
【請求項６】
前記シェルは、前記縫い目が入る縫い目溝を有する請求項１に記載の履物構造。
【請求項７】
前記クッション材は、前記シェルの前記上向きに開口した凹部内に配置され、前記足前部領域内で前記壁の一部分が露出し、前記縫い目は前記壁の前記露出部分に通して縫われる請求項１に記載の履物構造。
【請求項８】
足前部領域、土踏まず領域および踵領域を含む履物構造において、
周縁ゆとり部を有するアッパーと、
ベースプレートと該ベースプレートからほぼ上向きに着用者の足の形状をした周縁部の周りに延在する壁とを有するシェルであって、該壁および該ベースプレートは協働して上向きに開口した凹部を形成し、前記ベースプレートは前記土踏まず領域および前記足前部領域の少なくとも一方のみに孔を有するシェルと、
該シェルに固定されたアウトソールと、
少なくとも部分的に前記シェル内に配置されたクッションと
を備え、
前記シェルおよび前記クッションの少なくとも一方は前記周縁ゆとり部に固定されることを特徴とする履物構造。
【請求項９】
前記壁および前記ベースプレートは、協働して前記踵領域内に踵カップを形成する請求項８に記載の履物構造。
【請求項１０】
前記周縁ゆとり部および前記シェルを通過して前記シェルおよび前記周縁ゆとり部を互いに固定する縫い目を有する請求項９に記載の履物構造。
【請求項１１】
前記クッションは、前記孔に挿通される少なくとも１つの突出部を有する請求項８に記載の履物構造。
【請求項１２】
前記アウトソールは、少なくとも１つの開口を有する請求項８に記載の履物構造。
【請求項１３】
前記クッションは、前記孔に挿通されると共に前記アウトソールに形成された前記開口に少なくとも部分的に挿入される請求項８に記載の履物構造。
【請求項１４】
前記シェルは、一体型で堅固であり、熱可塑性ポリウレタンから構成される請求項８に記載の履物構造。
【請求項１５】
足前部領域、土踏まず領域および踵領域を含む履物構造の製造方法であって、
踵カップと前記踵領域の前方で前記足前部領域の少なくとも一部分の周りに延在する周縁壁とを有すると共に前記足前部領域内に孔を有する一体型で堅固なシェルを形成し、
前記シェル内にクッションを成形し、
前記足前部領域内であるが前記踵領域の手前までアッパーを前記シェルに縫い付け、
アウトソールを前記シェルに固定する
ことを特徴とする履物構造の製造方法。
【請求項１６】
前記アッパーを前記踵領域内で前記シェルおよび前記クッション材の少なくとも一方に接着剤だけで固定する請求項１５に記載の履物構造の製造方法。
【請求項１７】
前記クッションは、前記足前部領域内で前記孔に少なくとも部分的に挿通される請求項１５に記載の履物構造の製造方法。
【請求項１８】
前記アウトソールは、少なくとも１つの開口を有する請求項１７に記載の履物構造の製造方法。
【請求項１９】
前記クッションは、前記アウトソールの前記少なくとも１つの開口に少なくとも部分的に挿入される請求項１８に記載の履物構造の製造方法。
【請求項２０】
前記アウトソールは、第１構成部分および第２構成部分を有し、該第１構成部分を前記シェルに固定し、前記第２構成部分を前記第１構成部分から距離をおいて前記シェルに固定する請求項１５に記載の履物構造の製造方法。
【発明の詳細な説明】
【技術分野】
【０００１】
［発明の詳細な説明］
［発明の背景］
本発明は、履物に関し、特に履物構造およびその製造方法に関する。
【０００２】
履物業界では、安定性および高レベルの快適性を与える履物を製造するという取り組みが行われている。そのような履物は、固い表面（たとえば、コンクリート床面）上を相当な距離にわたって歩行したり、あるいは快適でありながら安定した履物を必要とする、都市環境で通勤、通学する個人を対象としている。
【０００３】
しかし、従来型の履物構造は、安定性または快適性の一方を与え、これらの特徴に必要な機能が一般的に互いに打ち消し合うため、通常は両方を与えない。たとえば、安定性で知られている１つの構造は、履物の踵内に位置する踵カップ（heel cup）を有する。踵カップは、ユーザの踵の周囲を上向きに包み込んで、土踏まずの手前で終わる。踵カップはユーザの足を履物内にしっかり着座させて、踵カップ内に適切に着座しているときのユーザの踵の横揺れを最小限に抑える。
【０００４】
この構造は、踵領域内で足の安定性を与えるが、足の残りの部分については安定性およびねじり抵抗を与えることができない。さらに、踵カップが土踏まず領域内で終わる領域は、踵カップのねじれに起因した大きな応力を受ける。したがって、踵カップは、他の履物構成部材の早期剥離または破壊を生じる可能性があり、それにより、履物の耐用寿命が短くなる。
【０００５】
履物の種類における踵カップ構造と反対のものとして、主に快適性を求めて作られた構造、たとえばカジュアルシューズ構造がある。これらの「快適」構造では、ミッドソールおよび／またはアウトソールがアッパーに固定されている。アウトソールは通常、硬質の摩耗材料から構成される。ミッドソールは通常、ポリウレタンまたはエチレンビニルアセテートなどの軟質材料から構成され、それにより、衝撃吸収材料層を与える。この構造は着用者の足に快適なクッション性を与えるが、靴底が摩耗して、短時間でアッパーが靴底から分離する。さらに、そのような構造のアッパーおよび靴底間の移行部は一般的に急峻であって、美的観点から見て劣っている。
【０００６】
快適性と安定性のいずれかを与える異なった構造も存在するが、両方の要件を最良に与える履物構造に対する必要性はまだ残されたままである。
【０００７】
［発明の概要］
前述の問題は、安定化機能を有するシェルを設けた履物構造を提供する本発明において解決される。シェルは、踵領域内の踵カップと、踵カップから踵領域の前方に延出して、足前部領域の少なくとも一部分の周囲を包み込む周縁壁とを含むことができる。シェルはまた、足前部領域内に、選択的に周縁壁に隣接させて孔を有することもできる。
【０００８】
別の態様において、シェルをミッドソールクッション材で少なくとも部分的に満たすことができる。シェルが孔を有する場合、クッション材が孔の中に挿入され、選択的に孔を通ることができる。
【０００９】
第３の態様において、足前部領域、および選択的に土踏まず領域の少なくとも一部分で、アッパーをシェルに、たとえば、オパンカ縫い技法（Opanka stitching techniques）で縫い付けることができる。縫い目は踵領域の手前で終了することができる。さらに特定の態様において、アッパーは、踵領域内にストロベル構造（Strobel construction）を有することができ、このストロベル構造をミッドソールおよび／またはシェルに、たとえば、接着剤で固定することができる。
【００１０】
別の態様において、アウトソールをアッパーと向き合わせてシェルに固定することができる。アウトソールは、足前部部分および別体の踵部分を有することができる。アウトソールの足前部部分は、少なくとも１つの開口を有することができる。シェル内の孔に選択的に挿通されるミッドソールの部分は、アウトソールの開口にも挿入され、および／または通されることができる。
【００１１】
本発明は、踵カップと、踵領域の前方で足前部領域の少なくとも一部分の周りに延在する周縁壁を有するシェルとを形成し、シェル内にクッション材を固定し、足前部領域内でアッパーをシェルに、但し踵領域の手前まで、選択的にオパンカ縫い付けし、選択的に踵領域内でアッパーをシェルおよびクッション材の少なくとも一方に固定し、選択的にシェルの足前部部分内に孔を形成し、および選択的にクッション材を少なくとも部分的に孔に挿入あるいは通すことによって製造することができる。
【００１２】
本発明は、安定性、快適性およびデザイン性の今までにない組み合わせを有する画期的な履物構造を提供する。シェルは、足裏の安定性を得るための側方および内側補強の両方を行う。シェルが足裏で土踏まず領域内に延出する場合、それは、足前部および足後部の安定性と共に、一体的な土踏まず支持を行う。さらに、シェルが足前部に孔を有する場合、シェルは、軽量性と共に、打撃安定性を与えるための踵の堅固性、およびより容易なつま先の蹴り出し、すなわち推進力を得るための少なくとも足前部の側方安定性の両方を与えることができる。
【００１３】
本発明の上記および他の目的、利点および特徴は、本発明の詳細な説明および図面を参照することによりさらに容易に理解および認識されるであろう。
【００１４】
［好適な実施形態の詳細な説明］
本発明の履物構造を図１に示し、全体を１０で表す。開示のため、本発明をカジュアルシューズに関連して記載するが、本発明は、他のタイプの履物にも適する。
【００１５】
一般的に靴１０は、シェル３０に固定されたアッパー２０を有することができ、シェルはさらにアウトソール４０に固定されることができる。シェル３０は、踵カップ部分３２と、足前部領域内で靴の周縁部の周りに延在する壁３４とを有することができる。アッパー２０は、足前部領域と土踏まず領域の少なくとも一部分とにおいて縫い目２８でシェルに固定されることができる。縫い目の後方では、セメントおよび／または接着剤でアッパーをシェルに固定することができる。
【００１６】
本明細書で使用するとき、「土踏まず領域」という用語は、靴の、着用者の足の土踏まずに対応する部分を全体的に表し、「足前部領域」という用語は、靴の土踏まず領域の前方の、着用者の足前部（たとえば、母指球およびつま先）に対応する部分を全体的に表し、「踵領域」という用語は、靴の土踏まず領域の後方の、着用者の足の踵に対応する部分を全体的に表す。足前部領域４５、土踏まず領域４３および踵領域４９が図１に包括的に特定されているが、これらの領域の輪郭線が履物の形状に応じて変化する可能性があることを理解されたい。
【００１７】
アッパー２０は概して従来通りであるので詳細に記載しない。アッパー２０がバンプ２２、クォーター２４およびバックステイ２６を備えることを言えば、十分である。図４を参照すると、アッパー２０は、縫い代とも呼ばれるゆとり分２３に移行する下部分を含むことができ、このゆとり分は、アッパーの中心から離れるように外向きに折り曲げられている。ソック（sock）または他の材料をアッパーの最下部分に固定することができる。このソックは、選択的に踵からつま先まで、および／または靴の一方側から他方側まで延在し、それにより、アッパー２０の底部を閉じることができる。周縁ゆとり分をインソール（図示せず）に固定するか、あるいは材料２９および／または布ソックライナー（図示せず）に選択的にストロベル縫い付けすることもできる。この構造により、アッパーをその底部の全体または一部分に沿って閉じることができる。アッパー２０は、革、カンバス、ナイロンまたは他の適当な材料から製造することができ、他の従来の付属品を備えてもよい。
【００１８】
アッパー２０内にフットベッド（foot bed）２５を配置することができる。フットベッドは、エチルビニルアセテート（ＥＶＡ）フォームまたは任意の他の適当な緩衝材から形成することができる。ＥＶＡフォームの剛性および可撓性は、所望に応じて用途ごとに変えることができる。また、所望に応じて、アッパー内で決して移動しないように、フットベッドをアッパーの閉鎖底部に固定することができる。
【００１９】
アウトソール４０は、比較的硬いゴムか、または十分な耐久性および耐摩耗性を有する他の材料から製造される。このアウトソールは、少なくとも２つの分離した、すなわち独立した部材片に分割することができる。図示のように、アウトソールは、履物の足前部領域にほぼ対応する足前部部分４２と、履物の踵領域にほぼ対応する踵部分４４とを有する。これらの部分は、互いに所定距離だけ分離させることができる。これらの部分はそれぞれ、シェル３０の底部の隆起部分３９と嵌合するような形状にすることができる。隆起部分３９は、アウトソールの足前部および踵部分間の境界として機能することができ、同時にこれらの要素を分離することができる。さらに、アウトソール部分４２および４４は、シェル３０に形成された凹部３５および３７に対応するように形作ることができる。したがって、シェルに固定したとき、これらのアウトソール部材は、同一面の仕上げ外観を有する。
【００２０】
アウトソール４０の底部は、アウトソール４０の摩耗面を形成して所望のトレッドパターンを付けられる外面４８を有する。外面４８は、靴の摩擦力および美的魅力を高めるように表面加工してもよい。選択的に、アウトソールの上面４７に所望の表面加工を施してもよい。図４に示されているように、アウトソールの足前部部分４２は、少なくとも１つの孔４６を有することができる。孔４６は、ミッドソール５０の下面に選択的に形成された突出部５６に整合させることができる。これらの突出部は、後述するように、少なくとも部分的に孔４６に挿入され、および／または挿通されるのに十分な高さにすることもできる。アウトソール４０は、シェル３０に、および／または孔３３を通って露出するミッドソール５０にセメントまたは接着剤で固定することができ、あるいは、所望に応じて、これらの部材に直接取り付けることができる。
【００２１】
図４〜図６を参照しながら、シェル３０をさらに詳細に説明する。シェルは、踵カップ部分３２を有し、この踵カップ部分３２は、踵領域から前方でかつ選択的に履物の足前部部分の周縁部全体に延在する上向きに延びた壁３４を有する。シェルのこれらの部材を一体化することができ、それにより、シェルが単一材料片から形成される。踵カップは、ベースプレート３１によって足裏に形成され、ベースプレートはシェルの土踏まずおよび足前部領域内へ延出することもできる。周縁壁３４は、所望に応じてベースプレート３１に垂直に概ね上向きに延在することができる。足前部領域および、選択的に土踏まずおよび踵領域内の周縁壁３４の外側部分に、糸２８または他の縫い材料の縫い目を入れることができる縫い目溝３８を形成することもできる。この溝３８内で縫うとき、縫い目２８をすりへりおよび早期摩耗から保護することができる。
【００２２】
履物の足前部領域４５および／または土踏まず領域４３内で、シェルは孔３３を有することができる。この孔３３は、ベースプレート３１の残り部分によって境界を定めることができるか、あるいは、ベースプレートが足前部領域内でシェルから完全に取り除かれている場合、孔の境界を周縁壁３４自体によって定めることができる。所望に応じて、この孔は概ね、履物の、着用者の足の母指球の底部に対応する部分から履物のつま先まで延在することができる。
【００２３】
履物の足前部領域４５および／または土踏まず領域４３内で、シェルは、壁３４および／または踵カップ部分３２から外向きに突出した段部３４ａも有することができる。所望に応じて、この段部３４ａを縫い目溝３８と同じ位置で終端させることができる。段部は、壁および／または踵カップ部分から外向きに、シェルのこれらの部材の上部から深さＡだけ突出することもできる。この深さＡは、周縁ゆとり分、および、所望に応じて、アッパーの底部を閉じるためにこのゆとり分に固定された任意材料の厚さに等しくすることができる。さらに、この深さＡは、後述するような距離Ｄに対応し、および／または等しくすることもできる。
【００２４】
所望に応じて、シェル３０の外側部分にグラフィックデザインまたは文字を付けることができる。シェル３０は、ミッドソール５０と反対側の底部に、少なくとも１つの隆起部分３９を有することができる。アウトソール４０およびその構成部分４２および４４をシェル３０に取り付けたときでも、隆起部分は見えることができる。隆起部分３９は、アウトソール部分４２および４４をシェル３０に固定したときでも、靴の底から見えるデザイン（図示せず）を有することができる。所望に応じて、このデザインを着色したり、それにグラフィック画像または文字を付けることもできる。
【００２５】
シェル３０の底部に凹部３５および３７を形成することができ、これらはアウトソールの構成部分４２および４４の形状に対応し、それにより、これらの構成部分をシェルに固定すると、それらは同一面になって、すっきりした仕上げ外観が得られる。
【００２６】
シェルおよびその構成部分は、ポリウレタン、たとえば熱可塑性ポリウレタンか、あるいは十分に剛性を有する、および／または半剛性の合成または天然の他の材料から構成することができる。
【００２７】
シェル３０は、踵カップ部分３２および足前部領域内の周縁壁３４によって形成される凹部を有し、本明細書ではミッドソール５０とも呼ぶクッション材でそれを満たすことができる。所望に応じて、クッション材をシェル内に流し込むか、射出成形するか、他の方法で成形することができる。ミッドソールは、踵カップ３２および周縁壁３４によって形成された凹部を、壁３４がミッドソール５０の最上部分の上方に露出することができる深さまで満たすことができる。選択的に、クッション材５０をシェル内で形成し、それにより、少なくとも足前部領域４５内で、壁３４の距離Ｄ（図７）が、足前部のクッション材５０の最上部分の上方に露出するようにしてもよい。したがって、ゆとり分２３を壁３４の、クッション材の上方に露出した部分に、選択的にクッション材にも糸を通して縫い付けることができる。この構造により、周縁ゆとり分の縁部が、露出したシェル壁３４に当接することができ、および／または見えないように隠蔽されることができる。ミッドソール５０は、着用者の足の形状に概ね一致した凹部５７を形成することができる。
【００２８】
エアクッション５４を受容するために、踵領域４９内でミッドソールにエアクッション凹部５２を形成することができる。ミッドソールは、シェル踵壁３６の途中の高さまで延在するミッドソール踵壁５８も有することができる。ミッドソール５０の下側に突出部５６を形成することができる。これらの突出部は、少なくとも部分的に孔３３に挿通されて、所望に応じて、アウトソールに形成された孔４６に挿入され、あるいは少なくとも部分的に孔４６に挿通されることができる。これらの突出部５６は、所望の色にすることができる。
【００２９】
選択的に、靴の土踏まず領域４３内で、ミッドソール５０を形成するクッション材内に鋼、プラスチック、ナイロンまたは他の材料の踏まず芯（図示せず）を固定するか、または成形してもよい。踏まず芯を拡張し、および／または履物の他の領域、たとえば、足前部領域４５および踵領域４９と重ねることができる。
【００３０】
［製造および組み立て］
次に、図４〜図７を参照しながら、靴１０の製造を説明する。アッパー２０は、概ね従来型の技法および装置を使用して製造される。所望のアッパー材料（図示せず）を切断して、バンプ２２、クォーター２４およびバックステイ２６などの要素を含むアッパーを形成する。アッパー２０の部材片を嵌合して縫い合わせることができる。概ね足と同一の形状の材料片２７をアッパーの底部にストロベル縫い付けし、それにより、アッパーを踵で、および／または踵からつま先まで閉じることができる。ソック（図示せず）をアッパーの内側に固定し、それによってアッパー２０の底部を閉じることもできる。
【００３１】
別のステップで、シェル３０を形成する。シェルを形成する材料を、シェルの特徴部分、たとえば、踵３２、周縁壁３４、ベースプレート３１、縫い目溝３８および／またはシェルの下側の隆起部分３９に対応するように形作られた金型内に射出することができる。金型は、シェルの形成時にシェル内に孔３３が形成されるような形状とすることができる。しかし、シェルは、孔を設けないで形成することもでき、形成後にシェルから孔３３をトリミングすることもできる。さらに、任意の従来の印刷方法、たとえばオイル印画法、リソグラフおよび／またはエアブラシによってシェルの露出部分にグラフィックデザインを描画してもよい。シェル３０は、所望に応じてトリミングすることができる。シェルを所望通りに形成するために、他の技法を使用することができる。
【００３２】
シェルを形成してから、クッション材５０をシェルに固定することができる。材料５０は、踵カップおよび周縁壁によって形成されたキャビティ内に流し込み成形することができる。材料がこのキャビティを満たしたとき、それはシェルの孔３３内へあるいは孔３３を通って少なくとも部分的に延在する。選択的に、シェルの底部付近に補助金型（図示せず）を配置することができ、それにより、孔３３を通って露出したクッション材に突出部５６が形成される。これらの突出部は、アウトソール内の対応する孔４６に整合するような輪郭および形状を有することができる。さらに、クッション材５０をシェル内に特定の深さまで満たし、それにより、周縁壁３４の一部分が距離Ｄだけ露出し、また、選択的に、図７に示されているように、段部３４ａも露出するようにすることができる。この距離Ｄは、縫い目ゆとり分２３を形成する革、およびこの縫い目ゆとり分のミッドソールに面する部分に固定された任意材料の厚さとほぼ同一、および／またはそれより大きくすることができる。これにより、周縁ゆとり分２３の縁部が外部に露出しないようにすることができる。もちろん、所望ならば、クッション材５０がシェルを壁の最上部分まで満たし、それにより、その材料が壁３０の上部と同一面になるようにすることができる。
【００３３】
クッション材の上方に露出するシェル壁３４の部分を、ミッドソールを形成するクッション材５０から完全に分離した部材とすることができることに注意されたい。この構造では、２つの構成部材、すなわち、ミッドソール５０内の壁３４が、分離して独立した構成部材である。
【００３４】
ミッドソール５０が形成されるとき、エアクッション孔５２および縫い目案内孔などの特徴部分をクッション材５０の上面に形成することもできる。
【００３５】
アウトソール構成部分４２および４４は、従来の成形装置を使用して、硬質で耐久性のあるゴムから射出成形または流し込み成形することができる。アウトソールの下面のトレッドパターン４８は、アウトソールの前方部分４２内に形成された孔４６と共に、成形作業中に形成することができる。選択的に、これらの特徴部分は、アウトソール構成部分の任意の輪郭または形状と共に、その成形後にアウトソール４０から切り抜くことができる。孔４６は、ミッドソールの突出部５６に整合するように切り抜くことができることに留意されたい。アウトソールおよびその構成部分は、セメント、接着剤または他の取り付け装置でシェルに固定されることができる。
【００３６】
アウトソール構成部分４２および４４を隆起部分３９に整合させると共に、それぞれシェル凹部３５および３７内にはめて、それからシェル３０に固定することもできる。ミッドソールの突出部５６がある場合、この固定処理中に突出部５６を孔４６に整合させることができる。所望に応じてアウトソール構成部分をトリミングし、それにより、シェル３０に同一面でぴったり合わせることができる。
【００３７】
別のステップにおいて、クッション材５０を内部に固定したシェル３０をアッパーに取り付ける。これは、足前部領域４５、および選択的に土踏まず領域４３内で、周縁ゆとり分２３をシェル壁３４に縫い付けることによって達成される。縫い付けは、機械式か、手縫いで行うことができる。さらに具体的には、足前部領域４５内で周縁ゆとり分をシェルおよび／またはミッドソールにオパンカ縫い付けすることができる。糸が溝３４内でシェルを通過し、周縁ゆとり分２３を通って、再び周縁ゆとり分２３を通って戻り、それからシェル３０を通って戻ることを繰り返すことによる摩耗から、縫い目を保護することができる。靴の踵４９および／または土踏まず領域４３において、アッパーをクッション材５０の上面に、エアクッション５４がある場合には、その上に糊付けして固定することができる。選択的に、アッパーをミッドソールの踵フランジ５８およびシェルの踵壁３６にさらに糊付けすることができる。
【００３８】
アウトソール４０をアッパー２０に取り付けてから、フットベッド２５をアッパー２０の内部に配置することができる。靴１０に対して多数の従来型の仕上げ作業を行うことができる。たとえば、シェル３０およびアウトソール４０の縁部をトリミングおよび形削りすることができ、適当にかつ必要であれば、アッパー２０をきれいにして磨き、処理することができ、また、当てはまる場合、靴紐をはと目に通すことができる。
【００３９】
上記の説明は、本発明の好ましい実施形態の説明である。添付の特許請求の範囲に規定される本発明の精神およびより広い態様から逸脱することなく、さまざまな代替および変更を行うことができ、特許請求の範囲は、均等論を含む特許法の原則に従って解釈されるものとする。単数形で表される、たとえば、冠詞の「ａ」、「ａｎ」、「ｔｈｅ」または「ｔｈｅ」を用いた特許請求要素に対するいかなる言及も、その要素が単数形であると限定するものと解釈されるべきではない。
【図面の簡単な説明】
【００４０】
【図１】本発明の構造を組み込んだ履物製品の側面図である。
【図２】図１の２−２線に沿った履物の断面図である。
【図３】図１の３−３線に沿った履物の断面図である。
【図４】履物の分解斜視図である。
【図５】履物のシェルの斜視図である。
【図６】シェルの底面図である。
【図７】クッション材を満たしたシェルの斜視図である。
【図８】クッション材を満たしたシェルの底面図である。
【図１】
2005342519.tif 000003
【図２】
2005342519.tif 000004
【図３】
2005342519.tif 000005
【図４】
2005342519.tif 000006
【図５】
2005342519.tif 000007
【図６】
2005342519.tif 000008
【図７】
2005342519.tif 000009
【図８】
2005342519.tif 000010
【外国語明細書】
2005342519.tif 000011
2005342519.tif 000012
2005342519.tif 000013
2005342519.tif 000014
2005342519.tif 000015
2005342519.tif 000016
2005342519.tif 000017
2005342519.tif 000018
2005342519.tif 000019
2005342519.tif 000020
2005342519.tif 000021
2005342519.tif 000022
2005342519.tif 000023
2005342519.tif 000024
2005342519.tif 000025
2005342519.tif 000026
2005342519.tif 000027
2005342519.tif 000028
2005342519.tif 000029
2005342519.tif 000030
2005342519.tif 000031
2005342519.tif 000032
2005342519.tif 000033
2005342519.tif 000034
2005342519.tif 000035